(57)【特許請求の範囲】
【請求項１】
背フレームにおける左右１対の側枠杆により、左右方向を向くランバーサポートの両側部を、上下方向に移動可能に支持してなる椅子において、
前記ランバーサポートは、
左右方向の中央部下縁を上方に突出するように円弧状に湾曲させることにより、上下幅を、左右両端から中央部に向かうにしたがって漸次小としたランバーサポート本体と、
前記ランバーサポート本体の両側部の上下の端部に、上下方向に離間するようにして設けられ、前記左右の側枠杆に設けた上下方向を向くガイド部により上下方向に移動可能に支持された４個の取付部と、
下部の左右の取付部に連係された操作部材
とを備えることを特徴とする椅子。
【請求項２】
ランバーサポート本体の左右幅を、左右の側枠杆の対向面間の寸法とほぼ等しくするとともに、４個の取付部を、ランバーサポート本体の両側縁より外向きに突設して、前記側枠杆のガイド部により支持するようにしてなる請求項１記載の椅子。
【請求項３】
操作部材を、それに設けた把持部が側枠杆の外側面より突出するように、側枠杆の下部のガイド部により上下方向に移動可能に支持してなる請求項１または２記載の椅子。
【請求項４】
下部の取付部を、ランバーサポート本体の側縁と下縁とが交差する角部に外向きに突設してなる請求項１〜３のいずれかに記載の椅子。
【請求項５】
側枠杆の前面に、前方に開口する上下方向の凹溝を設け、この凹溝内に、上部の取付部を移動可能に支持して案内するガイド部材を、前方より着脱しうるように装着してなる請求項１〜４のいずれかに記載の椅子。
【請求項６】
下部の取付部は後向片を備え、この後向片を、左右方向を向く操作部材の内側端部に、前方より着脱可能として連係してなる請求項１〜５のいずれかに記載の椅子。
【発明の詳細な説明】
【技術分野】
【０００１】
本発明は、背凭れにランバーサポートを、上下方向に移動可能に取付けてなる椅子に関する。
【背景技術】
【０００２】
背凭れにランバーサポートを取付けた椅子としては、ランバーサポートを、左右方向を向く本体部と、その両側部の下端より垂下する左右１対の連結部と、両連結部の側縁下部より外側方に延出する把持部とからなるものとし、両把持部を、背フレーム(背凭れ本体)の両側部に貫通させて、上下位置調節可能に支持したもの(例えば特許文献１参照)、ランバーサポートを、左右方向を向く主体部と、その両側部の下端より垂下し、下端に外側方を向く摘み部が連設された左右１対の操作部とからなるものとし、主体部後面の左右両側部を、背フレーム(バックフレーム)の左右のサイドメンバーの内側面に設けたブラケットにより上下位置調節可能に支持したもの(例えば引用文献２参照)、及び背フレーム(背枠)の下部中央部から起立するランバーサポート支持部に、ランバーサポート本体の左右方向の中央部を上下位置調節可能に取り付けたもの(例えば特許文献３参照)などがある。
【先行技術文献】
【特許文献】
【０００３】
【特許文献１】特開２００８−１１９２１７号公報
【特許文献２】特許第４５７５２３３号公報
【特許文献３】特許第４１３３０６７号公報
【発明の概要】
【発明が解決しようとする課題】
【０００４】
上記特許文献１に記載されている椅子のランバーサポートは、本体部の形状が、上下寸法の等しい横長の長方形をなし、かつ本体部の両側部下端に左右寸法の比較的大きな左右１対の連結部が連設された、正面視下向きコ字形をなしているので、本体部を効果的に後方に弾性変形させるのが難しく、かつ腰部を支持する本体部の有効支持面積も小さい。そのため、腰部全体を快適に支持することができず、ランバーサポートとして効果が小さい。
また、本体部から離れた下方において、ランバーサポートの支持部を兼ねる左右の把持部が、背フレームの両側部により支持されているので、背凭れのリクライニング時において、本体部に座者の腰部の荷重が加わると、把持部に大きな捩り荷重が作用し、長期間の使用により、把持部が損傷する恐れがある。
【０００５】
特許文献２に記載されている椅子のランバーサポートにおいては、その主体部の両側部の下端に、左右幅の比較的大きな左右１対の下向きの操作部が連設された、ほぼ下向きコ字形をなし、かつ主体部後面の左右両側部が、背フレームの左右のサイドメンバーの内側面に内向き突設したブラケットにより支持されているので、上記と同様、主体部を効果的に後方に弾性変形させるのが難しいだけでなく、腰部を支持する主体部の有効支持面積も小さくなり、腰部全体を快適に支持することができないという問題がある。
【０００６】
特許文献３に記載されている椅子のランバーサポートは、ランバーサポート本体が、背フレームにより囲まれた内方において、背フレームの下部中央部から起立するランバーサポート支持部により支持されているので、ランバーサポート本体の左右長が制限され、腰部を広範囲に支持し得ないという問題がある。
また、左右１対の操作用把手を、ランバーサポート本体の上端部の両側部に設けてあるので、着座状態で把手を操作する際の操作性が悪い。
【０００７】
さらに、上記特許文献１及び２記載されている椅子のランバーサポートは、背フレームの左右両側部により、左右２箇所のみで支持され、また特許文献２に記載のランバーサポートは、背フレームより起立するランバーサポート支持部により、左右方向の中央部の１箇所のみで支持されているので、左右の把持部を操作して、ランバーサポートの上下位置を調節する際に、左右の把持部に均一に力を加えて上下動させないと、ランバーサポートが左右方向にぐらつき、円滑に昇降させることができなくなる恐れがある。
【０００８】
本発明は、上記問題点に鑑みてなされたもので、ランバーサポート本体が効果的に後方に弾性変形しうるとともに、腰部の有効支持面積を大として、腰部を快適に支持しうるようにし、かつランバーサポート本体を背フレームにより安定よく支持しうるようにし、さらに、操作部の操作性を向上させうるようにしたランバーサポートを備える椅子を提供することを目的としている。
【課題を解決するための手段】
【０００９】
本発明によると、上記課題は、次の各項のようにして解決される。
（１）背フレームにおける左右１対の側枠杆により、左右方向を向くランバーサポートの両側部を、上下方向に移動可能に支持してなる椅子において、前記ランバーサポートは、左右方向の中央部下縁を上方に突出するように円弧状に湾曲させることにより、上下寸法を、左右両端から中央部に向かうにしたがって漸次小としたランバーサポート本体と、前記ランバーサポート本体の両側部の上下の端部に、上下方向に離間するようにして設けられ、前記左右の側枠杆に設けた上下方向を向くガイド部により上下方向に移動可能に支持された４個の取付部と、下部の左右の取付部に連係された操作部材とを備えるものとする。
【００１０】
このような構成とすると、ランバーサポート本体の左右方向の中央部下縁を、上方に突出するように円弧状に湾曲させ、ランバーサポート本体の上下寸法を、左右両端から中央部に向かうにしたがって漸次小としてあるので、座者の腰部(腰椎)が強く当たる左右方向の中央部が、後方に撓みやすくなり、腰部を違和感なく快適に支持することができる。
また、ランバーサポート本体は、その両側部に設けた４個の取付部により、左右の側枠杆のガイド部に４点で安定よく支持されるので、ランバーサポート本体を、左右方向のぐらつきを防止して円滑に上下動させることができ、かつランバーサポート本体が後方に撓んでも、取付部に捩り荷重が加わることがない。
さらに、下部の左右の取付部に操作部材を連係しているので、着座状態で操作部材を操作する手の位置が下方寄りとなり、操作部材の操作性が向上する。
【００１１】
（２）上記(１)項において、ランバーサポート本体の左右幅を、左右の側枠杆の対向面間の寸法とほぼ等しくするとともに、４個の取付部を、ランバーサポート本体の両側縁より外向きに突設して、前記側枠杆のガイド部により支持するようにする。
【００１２】
このような構成とすると、ランバーサポート本体全体が、後方に弾性変形しやすくなるとともに、腰部の後面を支持する有効支持面積も大となるので、腰部全体を快適に支持することができる。
【００１３】
（３）上記(１)または(２)項において、操作部材を、それに設けた把持部が側枠杆の外側面より突出するように、側枠杆の下部のガイド部により上下方向に移動可能に支持する。
【００１４】
このような構成とすると、把持部が側枠杆の外側面より突出しているので、着座状態での操作部材の操作性がより向上する。
【００１５】
（４）上記(１)〜(３)項のいずれかにおいて、下部の取付部を、ランバーサポート本体の側縁と下縁とが交差する角部に外向きに突設する。
【００１６】
このような構成とすると、下部の取付部に連係される操作部材の位置が、ランバーサポート本体の中央部よりも下位となり、着座状態で操作部材を操作する手の位置も、より下方寄りとなるので、操作部材の操作性がさらに向上する。
【００１７】
（５）上記(１)〜(４)項のいずれかにおいて、側枠杆の前面に、前方に開口する上下方向の凹溝を設け、この凹溝内に、上部の取付部を移動可能に支持して案内するガイド部材を、前方より着脱しうるように装着する。
【００１８】
このような構成とすると、ガイド部材を側枠杆の凹溝に装着するだけで、上部の取付部を容易に側枠杆により支持して、上下方向に案内することができる。
また、側枠杆への上部の取付部の着脱を、前方から容易に行うことができる。
【００１９】
（６）上記(１)〜(５)項のいずれかにおいて、下部の取付部は後向片を備え、この後向片を、左右方向を向く操作部材の内側端部に、前方より着脱可能として連係する。
【００２０】
このような構成とすると、ランバーサポート本体の下部の取付部と操作部材との連係作業を、側枠杆の前方より容易に行うことができる。特に、上記(５)項に記載の構成と併用すると、上下の取付部を、側枠杆により、前方より着脱可能として容易に支持することができる。
【発明の効果】
【００２１】
本発明によれば、腰部を快適に支持しうるとともに、背フレームの側枠杆により安定よく支持しうるようにしたランバーサポートを備える椅子を提供することができる。
【図面の簡単な説明】
【００２２】
【図１】本発明の椅子の一実施例を示す正面図である。
【図２】同じく、側面図である。
【図３】背フレームと、それに装着したランバーサポートの斜視図である。
【図４】同じく、正面図である。
【図５】同じく、側面図である。
【図６】背フレームと、それに装着されるランバーサポート本体と、背凭れ支持体の分解斜視図である。
【図７】ランバーサポート本体と、背凭れ支持フレーム及びそれに装着されるカバー部材と操作部材との分解正面図である。
【図８】ランバーサポート本体の側端部と、カバー部材と、操作部材との拡大分解斜視図である。
【図９】カバー部材の上向片と、それに装着される操作部材との装着前の拡大斜視図である。
【図１０】同じく、装着後の拡大斜視図である。
【図１１】図４のXI−XI線拡大横断端面図である。
【図１２】同じく、XII−XII線拡大横断端面図である。
【図１３】図５のXII−XII線拡大縦断正面図である。
【図１４】係合凹部と連係部材との係合部の拡大斜視図である。
【図１５】側枠杆と、それに装着されるガイド部材の拡大斜視図である。
【図１６】図４のXVI−XVI線拡大縦断側面図である。
【図１７】同じく、XVII−XVII線拡大横断端面図である。
【発明を実施するための形態】
【００２３】
以下、本発明の実施形態を、図面に基づいて説明する。
図１は、本発明のランバーサポートを備える椅子の正面図、図２は、同じく側面図である。
この椅子は、先端部にキャスタ１を備える放射状をなす５本の脚杆２を有する脚体３と、脚体３の中央に立設され、内部にガススプリング(図示略)が収容された伸縮式の脚柱４と、脚柱４の上端に後端部が固着された前上方を向く支基５と、支基５により支持された座６と、前端部が左右方向を向く軸７をもって支基５に枢着された背凭れ支持体８と、この背凭れ支持体８の後上部に支持された背凭れ９と、背凭れ９の上下方向の中間部に設けられたランバーサポート１０とを備えている。
【００２４】
支基５は、上面の開口部がカバーにより閉塞された前後方向に長い平面視ほぼ長方形の箱状をなし、その内部には、背凭れ支持体８を介して、背凭れを常時前方に向かって付勢する付勢手段と、この付勢手段の付勢力を調節する調節手段(いずれも図示略)とが収容されている。なお、このような付勢手段や調節手段は、本発明に直接関係しないので、それらの具体的な構成および詳細な説明は省略する。
【００２５】
背凭れ支持体８は、横フレーム１１ａと、その両側端部に連設された左右１対の起立フレーム１１ｂ、１１ｂとからなる正面視ほぼ上向きコ字状の背凭れ支持フレーム１１と、この背凭れ支持フレーム１１の横フレーム１１ａに後端部が固着された前後方向を向く左右１対の背凭れ支持杆１２、１２とからなり、それらは、例えばアルミニウムまたはその合金により形成されている(図３、図４、図７においては、背凭れ支持体は図示略)。
横フレーム１１ａは、左右方向の中央部が平面視において後方に突出するように円弧状に緩やかに湾曲するとともに、両側部は、正面視において斜め上方に傾斜している。左右の起立フレーム１１ｂは、後記する背フレーム１７の側枠杆１９の下部と同方向を向くように、斜め前上方に傾斜させてある。
【００２６】
左右の背凭れ支持杆１２は、前下方に傾斜するとともに、中央部が下向きに緩やかに湾曲している。
左右の背凭れ支持杆１２の前端部は、支基５の両側部に、上記軸７により上下方向に回動可能に枢着されている。
【００２７】
左右の背凭れ支持杆１２の後端部は、背凭れ支持フレーム１１の横フレーム１１ａに、次のようにして固着されている。
まず、横フレーム１１ａの左右両側部に形成された前方に開口する左右１対の嵌合孔１３、１３(図４、図７参照)に、左右の背凭れ支持杆１２の後端部をがたなく嵌合する。
ついで、横フレーム１１ａにおける左右の嵌合孔１３と対応する位置の上面に設けた２個ずつの取付孔１４、１４に、上方よりボルト１５、１５を挿入し、両ボルト１５の下端部を、背凭れ支持杆１２の後端部に設けた上下方向の左右２個のめねじ孔１６、１６に螺合して締め付ける。これにより、背凭れ支持フレーム１１の横フレーム１１ａに、左右の背凭れ支持杆１２の後端部が強固に固定された背凭れ支持体８が形成される。
【００２８】
背凭れ９は、正面形がほぼ方形枠状の硬質合成樹脂よりなる背フレーム１７と、この背フレーム１７の表面、すなわち前面に張設した張材１８とを備えている(図３〜図６においては張材は図示略)。
【００２９】
図３〜図６に示すように、背フレーム１７は、上下方向の中央よりやや下方の部分が側面視において前方に突出するように、緩やかな円弧状に湾曲する左右１対の側枠杆１９、１９と、その上端部同士を連結するとともに、左右方向の中央部が平面視において後方に突出するように、緩やかな円弧状に湾曲する上枠杆２０と、両側枠杆１９、１９の下端部同士をほぼ直線状に連結する下枠杆２１と、下枠杆２１の前面と両側端部とに、ボルト２８とナット３０をもって取り付けられる張材１８の張設部材２２、２３とを備えている。左右の側枠杆１９の湾曲部Ｃよりも下方の部分は、上記背凭れ支持フレーム１１の起立フレーム１１ｂと同じ向きに傾斜している。
【００３０】
図３及び図４に示すように、左右の側枠杆１９、１９と下枠杆２１の前面には、前方に開口する凹溝２４が、長手方向に沿って形成されている。両側枠杆１９の凹溝２４の溝幅は、上下方向の中央部から下方が、下方に向かって漸次大とされ(図４参照)、また、凹溝２４は、側枠杆１９の湾曲部Ｃ付近の内部において上下に離間する横向きのリブ２５、２５により仕切られている。
【００３１】
両側枠杆１９における凹溝２４を挟んで対向する内側片１９ａと外側片１９ｂの前後寸法は、外側片１９ｂの前縁が、内側片１９ａの前縁よりも前方に突出するように、外側片１９ｂの前後寸法を、内側片１９ａのそれよりも大としてある(図１７参照)。
【００３２】
図６に示すように、左右の側枠杆１９、１９における湾曲部Ｃより下部の外側面には、上述した背凭れ支持フレーム１１の左右の起立フレーム１１ｂが嵌合される、下方と外側方に開口する嵌合凹部２６が形成されている。
【００３３】
背凭れ支持フレーム１１に背フレーム１７を取付けるには、まず、横フレーム１１ａの左右の起立フレーム１１ｂ、１１ｂに、左右の側枠杆１９、１９に設けた嵌合凹部２６を、上方より嵌合するとともに、背フレーム１７の下枠杆２１の下面を横フレーム１１ａの上面に当接させて、背凭れ支持フレーム１１により背フレーム１７を仮支持する。
【００３４】
ついで、左右の起立フレーム１１ｂと左右の側枠杆１９の嵌合凹部２６の奥面に設けた左右方向の上下１対の取付孔２７、２７に挿入したボルト２８、２８を、左右の側枠杆１９の凹溝２４内の下部において、内側片１９ａの内面に設けた上下のナット保持部２９、２９に回り止めして嵌合された四角ナット３０、３０に螺合して締め付け、両側枠杆１９の下部を左右の起立フレーム１１ｂに固定する(図１３参照)。
【００３５】
ついで、横フレーム１１ａの左右方向の中央部に設けた上下方向の左右１対の取付孔３１、３１に下方より挿入したボルト３２、３２を、下枠杆２１の凹溝２５内においてリブにより回り止めした四角ナット３０、３０に螺合して締付け、下枠杆２１と横フレーム１１ａとを固定する。これにより、背フレーム１７は、その下部を背凭れ支持フレーム１１に嵌合した状態で、背凭れ支持フレーム１１に強固に固定される。
【００３６】
背凭れ支持フレーム１１に背フレーム１７を固定したのち、左右の起立フレーム１１ｂ、１１ｂの外側面に、カバー部材３３、３３を嵌着する。
図６〜図８に示すように、カバー部材３３は、上端部を除いた部分の左右方向の厚さをやや大とした縦長板状の上向片３４と、その下端に、背凭れ支持フレーム１１の両側部下面の傾斜面に沿うように連設された、斜め内下向きに傾斜する内向片３５とを備え、上向片３４と内向片３５との連設部付近の内側面には係止片３６が、内向きに突設されている。なお、上向片３４と、これが装着される上述の起立フレーム１１ｂは、後記する操作部材４３、およびこの操作部材４３を介して、後記するランバーサポート本体４１における下部の左右の取付部４２を上下方向に移動可能に支持して案内するためのガイド部を兼ねている。
【００３７】
上向片３４の上端には、内上向きの係止爪３４ａが、内向片３５の内端には、下向きの係止爪３５ａが、係止片３６には、後向きの係止爪３６ａが、それぞれ突設されている。
背凭れ支持フレーム１１における左右の起立フレーム１１ｂと横フレーム１１ａの上端部の外側面には、カバー部材３３と補形をなすとともに、上半部が内外に貫通する上下方向の凹部３７が形成されている。
【００３８】
カバー部材３３を取付けるには、背凭れ支持フレーム１１に形成した上記の凹部３７に、カバー部材３３を嵌合し、上向片３４の上端の係止爪３４ａを、図１３に示すように、側枠杆１９ｂにおける嵌合凹部２６の上縁の下向片３８の内面に係止するとともに、図１１に示すように、起立フレーム１１ｂの基部付近に設けた左右方向の通孔３９に係止片３６を嵌合して、その先端の係止爪３６ａを、通孔３９の奥部の係止段部４０に弾性係合させ、さらに、内向片３５の下向きの係止爪３５ａを、凹部３７の下端に設けた図示しない係止段部に係合させる。
これにより、カバー部材３３は、背凭れ支持フレーム１１の外側面に形成した凹部３７に、背フレーム１７を固定した上下のボルト２８の頭部を覆うようにして取り付けられ、また、必要に応じて取り外すこともできる。
【００３９】
ランバーサポート１０は、図３、図４、図７および図８に示すように、前後方向に適度に弾性変形可能な合成樹脂製のランバーサポート本体４１と、その左右両側縁の上部と、両側縁と下縁とが交差する左右の両角部とに、ランバーサポート本体４１の対角線上に位置するように外向き突設された、上下および左右方向に離間する４個の取付部４２と、下部の左右の取付部４２に連係される後記の左右１対の操作部材４３とを備え、左右の側枠杆１９の湾曲部Ｃの近傍に上下方向に移動可能として装着されている。各取付部４２は、外側方を向く短寸の外向片４２ａと、その先端に連設された後向片４２ｂとからなっている。なお、上部の左右１対の取付部４２は、ランバーサポート本体４１の上端より若干下方に連設されている。
【００４０】
ランバーサポート本体４１は、平面視において、左右方向の中央部が後方に突出するように緩やかに円弧状に湾曲するとともに、中央部の下縁を上方に突出するように緩やかに円弧状に湾曲させることにより、上下寸法を、左右両端から中央部に向かうにしたがって漸次小となるようにし、さらに縦断面形が、上下方向の中央部が前方に突出するように円弧状に湾曲する、左右幅が背フレーム１９における両側枠杆１９ｂの対向面間の寸法とほぼ等しい正面視概ね横長の長方形をなしている。
【００４１】
側枠杆１９の下部に装着したカバー部材３３における下部ガイド部を兼ねる上向片３４には、ランバーサポート本体４１を上下方向に移動させるための操作部材４３、４３が、次のようにして装着されている。なお、カバー部材３３および操作部材４３は、左右対称で同じ装着形態であるので、以下の説明は、右方のみについて行う。
【００４２】
図７〜図９に拡大して示すように、左右の操作部材４３は、合成樹脂よりなる把持部４４と、金属板よりなるランバーサポート本体４１との連係部材４５とからなっている。把持部４４の内側面には、前後の厚さの小さな内向突片４４ａが一体的に成形され、この内向突片４４ａには、連係部材４５の外側部が嵌合可能な内側方に開口する縦長スリット状の嵌合孔４６が形成されている。
【００４３】
内向突片４４ａの外半部と前半部の下部は、厚肉とされ、この内外の厚肉部４７、４７同士が対向する部分の内向突片４４ａの前後両面には、上下方向を向くスリット状の凹溝４８、４８が形成されている(図１２参照)。
【００４４】
連係部材４５は、内向突片４４ａよりも左右寸法の長い、前後(板厚)方向に若干弾性変形可能な垂直板状をなし、先端(内側端)には、側枠杆１９の下部前面に設けた後記する係合凹部５７と係合可能な上下寸法の小さな係合片４５ａが突設され、またこの係合片４５ａと近接する連係部材４５の先端部には、上記ランバーサポート本体４１における下部の取付部４２の後向片４２ｂが摺動可能に嵌合される前後方向に開口する方形の連係孔４９が形成されている。なお、連係孔４９の左右幅は、後向片４２ｂが左右方向にのみ移動しうるように、後向片４２ｂの左右寸法より大とされ、ランバーサポート本体４１が後方に撓んでも、その動きが後向片４２ｂを介して操作部材４３に伝達されないようにしてある。
【００４５】
内向突片４４ａの嵌合孔４６に連係部材４５の外側部を嵌合すると、内向突片４４ａのやや先端寄りの前後両面に形成された、嵌合孔４６と連通する係止孔５０の前面側のものに、連係部材４５の左右方向の中央部前面に突設した高さの低い突起５１が係合することにより、連係部材４５は、内向突片４４ａの嵌合孔４６から離脱するのが防止されるようになっている。
【００４６】
図６、図８、図９および図１２に示すように、カバー部材３３の上向片３４と、上述した起立フレーム１１ｂとには、把持部４４の内向突片４４ａが上下方向に移動可能として嵌合される上下方向のガイド孔５２、５２が、背フレーム１７の側枠杆１９の内・外周面方向、すなわち左右方向に貫通するようにして対向状に形成され、上向片３４側のガイド孔５２の下端部を除いた内方の開口縁には、上下方向を向く内向突条５３、５３が、前後対向状に突設されている。なお、上向片３４は、側枠杆１９の斜め前上方に傾斜する下部に装着されるため、上記ガイド孔５２も斜め前上方を向くように傾斜している。
上記上向片３４と起立フレーム１１ｂとに形成したガイド孔５２は、操作部材４３、およびそれに連係されるランバーサポート本体４１の下部の取付部４２を案内するガイド部の一部を構成するものであるが、上向片３４や起立フレーム１１ｂを省略した際には、上記のようなガイド孔５２を、側枠杆１９の厚肉とした外側片１９ｂに設けてもよい。
【００４７】
両内向突条５３の対向面間の寸法は、内向突片４４ａにおける厚肉部４７、４７を除いた部分の薄肉部５４の厚さとほぼ等しく、かつ両内向突条５３には、内向突片４４ａの前後両面の凹溝４８が摺動可能に嵌合されるようになっている。
【００４８】
上向片３４に操作部材４３を装着するには、図９、図１０、図１２および図１３に示すように、上向片３４と背凭れ支持フレーム１１の起立フレーム１ｂとに設けたガイド孔５２の下端部に、把持部４４の内向突片４４ａを、把持部４４の内側面が上向片３４の外側面と当接または近接するまで、外側方より嵌合する。この嵌合時において、連係部材４５の連係孔４９を含む先端部は、側枠杆１９の嵌合凹部２６内の奥面に形成された斜め前上方を向く長孔５５を貫通して、側枠杆１９の凹溝２４内に位置するようになっている(図１３参照)。
【００４９】
ついで、操作部材４３を上方に移動させ、内向突片４４ａの前後両面の凹溝４８、４８を、前後の内向突条５３、５３に嵌合させる。これにより、操作部材４３は、ガイド孔５２より抜け止めされるとともに、左右方向に移動するのが規制され、この状態で、内向突条５３とガイド孔５２により案内されて上下方向に移動することができる。なお、ガイド孔５２より操作部材４３が抜け外れないように、ランバーサポート本体４１が下限に位置しているときには、それに連係された操作部材４３が、内向突条５３の下端より下方のガイド孔５２内に移動しないようにしてある。この際のランバーサポート１０の下限位置は、側枠杆１９に装着される後記するガイド部材５８により決められる。
【００５０】
図１２〜図１４に示すように、ランバーサポート本体４１と左右の操作部材４３(左右対称につき、右方のみ図示する)とは、操作部材４３の連係部材４５の連係孔４９に、ランバーサポート本体４１における下部の左右の取付部４２の後向片４２ｂを、前方より着脱可能に嵌合することにより、互いに連係されている。従って、左右の操作部材４３を上下方向に操作すると、それと連動して、ランバーサポート本体４１が上下動するとともに、ランバーサポート本体４１が前後方向に撓んでも、その荷重が操作部材４３に直接作用することがない
【００５１】
図４、図１３および図１４に示すように、左右の側枠杆１９における下部の凹溝２４内、すなわち、側枠杆１９に装着した上向片３４と対向する部分の凹溝２４の奥面には、上下方向を向く板状の突条片５６が、操作部材４３の連係部材４５とほぼ直交するように前向きに突設され、この突条片５６の前端には、前方と両側方に開口する側面視前向き凹状の上下複数の係合凹部５７が、上下方向に一定間隔おきに形成されている。この上下複数の係合凹部５７に、操作部材４３の連係部材４５の先端に突設した係合片４５ａが選択的に係合することにより、ランバーサポート１０の上下位置を段階的に、かつ節度感をもって調節することができる。
【００５２】
この際、連係部材４５を、上下方向にほぼ垂直の板状としてあるので、それが、厚さ方向、すなわち前後方向に弾性変形しやすくなり、従って、係合片４５ａと係合凹部５７との上下幅を比較的大として、それらの係合力を大きくしても、軽い操作力で、係合片４５ａを係合凹部５７に選択的に係合させることができる。なお、ランバーサポート１０が上下方向にがたつかないように、係合片４５ａと係合凹部５７との上下幅をほぼ等しくするのが好ましい。
【００５３】
左右の側枠杆１９、１９における湾曲部Ｃよりもやや上方の凹溝２４内には、ランバーサポート本体４１の上部側の左右１対の取付部４２、４２を上下方向に移動可能に支持するガイド部材５８、５８が、次のようにして装着されている。
【００５４】
図１５〜図１７に拡大して示すように、左右のガイド部材５８(左右対称につき、図１５、図１６については、左方のもののみ図示する)は、凹溝２４の幅寸法に沿うように、左右寸法を漸次上方に向かって狭幅とした内向片５８ａと、その外側縁に突設された後向片５８ｂと、内向片５８ａと後向片５８ｂとの下端に連設された底片５８ｃとを備え、横断平面形は内向きＬ字状をなしている。後向片５８ｂは、側枠杆１９の外側片１９ｂの湾曲した内面と面接触しうるように、円弧状に湾曲している。また、後向片５８ｂの下端部には、上述した背フレーム１７を背凭れ支持フレーム１１に固定するボルト２８と干渉しないように、切欠部５９が設けられている。
【００５５】
内向片５８ａと後向片５８ｂとの上端に連設された厚肉部６０の後面には、内方と後方に開口するコ字状断面の係合溝６１が形成されている。
また、後向片５８ｂにおける外側面の前端部には、上下１対の係合突起６２、６２が、外向きに突設されている。
【００５６】
ガイド部材５８を側枠杆１９に装着するには、側枠杆１９の凹溝２４に、ガイド部材５８を、その底片５８ｃの下面が凹溝２４内のリブ２５の上面に当接するようにして、前方より嵌合し、まず、上部の係合溝６１を、側枠杆１９の内側片１９ａの外側面に突設した突起６４に係合して、上下方向に位置決めしたのち、上下１対の係合突起６２、６２を、側枠杆１９の外側片１９ｂの前端部内面に形成された上下１対の凹部６３、６３に係合させる。これにより、ガイド部材５８は、凹溝２４内に、前方に外れないようにして装着され、また必要により、前方に取り外すことができる。なお、ガイド部材５８の前面が、背フレーム１７に張設される張材１８の後面に接触するようにすれば、ガイド部材５８の前後方向のがたつきを確実に防止することができる。
【００５７】
このガイド部材５８の装着位置は、その底片５８ｃの上面に、ランバーサポート本体４１の上部側の取付部４２における後向片４２ｂが当接することにより、ランバーサポート１０が下限位置で停止するとともに、操作部材４３も、カバー部材３３の上向片３４のガイド孔５２から離脱しない下限位置で停止するように設定されている。
【００５８】
図１７に示すように、ガイド部材５８の内向片５８ａの後面と、側枠杆１９の内側片１９ａの前端との対向面間には、ランバーサポート本体４１の上部側の取付部４２の外向片４２ａの厚さより若干小さな隙間Ｓが形成されるようにしてある。従って、左右のガイド部材５８、５８の後方の凹溝２４内に、ランバーサポート本体４１の上部側の左右１対の取付部４２、４２を位置させることにより、ランバーサポート本体４１の上部の左右両側部が、左右１対のガイド部材５８と内側片１９ａとにより案内されて、上下方向に移動することができる。
【００５９】
ランバーサポート１０の組付け手順としては、背フレーム１７に張材１８を張設する前に、まず左右の操作部材４３を、左右の側枠杆１９の下部に、上述した要領で取付ける。
【００６０】
ついで、ランバーサポート本体４１における下部両側部の取付部４２の後向片４２ｂを、左右の操作部材４３における連係部材４５の連係孔４９に、前方より摺動可能として嵌合する(図１２〜図１４参照)とともに、上部両側部の左右の取付部４２の後向片４２ｂを、側枠杆１９の凹溝２４に前方より挿入する(図１７参照)。この際、図１２に示すように、ランバーサポート本体４１の側端部の後面は、側枠杆１９の前面と、所要の隙間を介して対向し、ランバーサポート本体４１が後方に撓むと、その側端部の後面が側枠杆１９の前面と当接する。なお、ランバーサポート本体４１が前後方向に撓んでも、後向片４２ｂは連係孔４９内を前後方向に摺動するのみであるので、連係部材４５を含む操作部材４３全体に、ランバーサポート本体４１からの曲げ荷重が加わる恐れは小さい。
【００６１】
ついで、上述したように、カバー部材３３の上向片３４のガイド孔５２から操作部材４３が離脱しない位置まで、操作部材４３と共にランバーサポート本体４１を上方に移動させた状態で、左右のガイド部材５８を、側枠杆１９の凹溝２４に、上述の要領で装着する(図１７参照)。
【００６２】
ついで、ランバーサポート本体４１を、その上部の取付部４２の後向片４２ｂが、ガイド部材５８の底片５８ｃの上面と当接する下限位置まで下方に移動させれば、ランバーサポート１０の組付けが完了し、ランバーサポート１０は、ランバーサポート本体４１の両側縁の上下両端部に設けた４個の取付部４２により、左右の側枠杆１９により４点で支持される。ランバーサポート１０を組付けた後は、上述したように、操作部材４３が、上向片３４のガイド孔５２から離脱することはない。また上部の取付部４２の外向片４２ａが、ガイド部材５８の内向片５８ａの後面に当接または近接するので、上部の取付部４２がガイド部材５８より前方に外れることもない。
なお、張材１８を背フレーム１７に張設した後でも、張材１８を前方に撓ませることにより、ランバーサポート本体４１およびガイド部材５８を背フレーム１７の後側から装着することも可能である。
【００６３】
左右の操作部材４３の把持部４４を上下方向にスライドさせると、連係部材４５に連係された下部両側部の取付部４２、およびそれと一体をなすランバーサポート本体４１が上下方向に連動することにより、ランバーサポート１０の上下位置を調節することができる。この際、連係部材４５の先端の係合片４５ａが、左右の側枠杆１９における下部の凹溝２４内に設けた突条片５６の上下複数の係合凹部５７と選択的に係合することにより、ランバーサポート１０の上下位置を段階的に、かつ節度感をもって調節することができる。
【００６４】
以上説明したように、図示の実施形態においては、ランバーサポート本体４１の左右幅を、左右の側枠杆１９の対向面間の寸法とほぼ等しくし、かつランバーサポート本体４１の両側縁に突設した４個の取付部４２を、実質的に左右の側枠杆１９により支持しているので、ランバーサポート本体４１全体が後方に弾性変形しうるとともに、腰部の後面を支持する有効支持面積が大となり、腰部全体を快適に支持することができる。
【００６５】
また、上下左右の４個の取付部４２は、ランバーサポート本体４１と近接するように、その両側縁の上下の端部から外向きに突設されているので、ランバーサポート本体４１が後方に撓んでも、各取付部４２や下部の操作部材４３に捩り荷重が加わる恐れは小さく、かつランバーサポート本体４１は、その対角線上に位置する４個の取付部４２を介して、背フレーム１７の左右の側枠杆１９により、４点で安定よく支持されているので、ランバーサポート本体４１を、左右方向のぐらつきを防止して円滑に上下動させることができる。
【００６６】
さらに、ランバーサポート本体４１の形状を、正面視において、中央部の下端を上方に突出するように緩やかに円弧状に湾曲させ、その上下寸法を、左右両端から中央部に向かうにしたがって漸次小となるようにしてあるので、ランバーサポート本体４１の座者の腰部(腰椎)が強く当たる左右方向の中央部が、後方に撓みやすくなり、腰部を違和感なく快適に支持することができる。
【００６７】
下部の左右の取付部４２は、ランバーサポート本体４１の円弧状に湾曲させた下縁と両側縁とが交差する角部に突設され、ランバーサポート本体４１の中央部の下縁よりも下方に位置しているので、両取付部４２に連係された左右の操作部材４３も、座者の手が届きやすいランバーサポート本体４１の下方寄りとなり、操作部材４３の操作性が向上する。
【００６８】
ランバーサポート本体４１の下部の左右の取付部４２およびそれに連係された操作部材４３は、左右の側枠杆１９における湾曲部Ｃよりも下方の斜め前上方を向く部分により、斜め前上方に移動可能に支持され、また、上部の左右の取付部４２は、左右の側枠杆１９における湾曲部Ｃのやや上方の斜め後上方を向く部分に取付けたガイド部材５８により、斜め後上方に移動可能に支持されているので、ランバーサポート本体４１の下部と上部の移動軌跡を異ならせることができる。すなわち、ランバーサポート本体４１を下限位置から上方に移動させる際において、ランバーサポート本体４１の下部は、下方から斜め前上方に向かって移動する軌跡となり、同じく上部は、下方から斜め後上方に向かって移動する軌跡となる。
【００６９】
その結果、ランバーサポート本体４１の上下位置を調節する際、これを、左右の側枠杆１９の湾曲部Ｃに沿う移動軌跡をもって移動させることができるので、ランバーサポート本体４１に座者の腰部の後面が偏当りすることがなく、腰部を違和感なく快適に支持することができる。
【００７０】
また、側枠杆１９に対するランバーサポート本体４１の上下の支持位置が、側枠杆１９の湾曲部Ｃの下部と上部にあり、その上下部において、ランバーサポート本体４１の上下左右の取付部４２は異なる軌跡上をほぼ直線的に移動するので、ランバーサポート１０の上下の位置調節を、側枠杆１９の湾曲部Ｃに妨げられることなく、円滑に行うことができる。
【００７１】
ランバーサポート本体４１を背フレーム１７に取付けるに当たっては、左右の側枠杆１９に先に操作部材４３を装着したのち、この操作部材４３の連係部材４５の前後方向に開口する連係孔４９に、下部の左右の取付部４２における後向片４２ａを、前方より嵌合するとともに、上部の左右の取付部４２の後向片４２ｂを、側枠杆１９の凹溝２４に前方より嵌合し、凹溝２４にガイド部材５８を装着して、上部の取付部４２の抜止めをするだけでよいので、背フレーム１７へのランバーサポート本体４１の取付作業、およびランバーサポート本体４１の取付部４２と操作部材４３との連係作業を、背フレーム１７の前方より、ランバーサポート本体４１を正姿勢とした状態のまま容易に行することができ、かつランバーサポート本体４１の脱着も容易である。
【００７２】
ランバーサポート本体４１の下部の取付部４２と操作部材４３とを別体として、ランバーサポート本体４１における下部の取付部４２の後向片４２ａを、操作部材４３の連係部材４５の連係孔４９に、前後および左右方向に移動可能に嵌合するとともに、ランバーサポート本体４１の上下位置を段階的に調節するための係合凹部５７を、操作部材４３を案内するガイド部である上向片３４および起立フレーム１１ｂより離間する内方の部位、すなわち側枠杆１９の凹溝２４内に突設した突条片５６の前面に設けてあるので、ランバーサポート本体４１が前後方向に弾性変形しても、その動きが、後向片４２ｂを介して操作部材４３や係合凹部５７に直接伝達されることがない。
【００７３】
従って連係部材４５を含む操作部材４３全体に、ランバーサポート本体４１からの曲げ荷重が加わる恐れは小さく、連係部材４５が厚さ方向に撓んで、その係合片４５ａと係合凹部５７との係止力が小さくなったり、互いの接触部を偏摩耗させたりすることはなく、ランバーサポート本体４１を定位置に確実に停止させうるとともに、節度感をもって安定よく上下動させることができる。
【００７４】
なお、上記実施形態では、操作部材４３を抜け止めするのに、操作部材４３の内向突片４４ａに設けた凹溝４８を、上向片３４のガイド孔５２に設けた内向突条５３に嵌合しているが、操作部材４３の連係孔４９に連係した取付部４２の後向片４２ｂを、前後方向へのみ移動可能に嵌合すれば、ランバーサポート本体４１の後向片４２ｂにより、操作部材４３を抜け止めすることが可能である。
【００７５】
また、上記実施形態では、操作部材４３に設けた前後方向に開口する連係孔４９に、ランバーサポート本体４１の取付部４２の後向片４２ｂを嵌合して、ランバーサポート本体４１の取付部４２と操作部材４３とを連係しているが、これとは反対に、例えば操作部材４３の内側部の連係部材を、内向きのロッド(円形断面とは限らない)等とするとともに、ランバーサポート本体４１の取付部４２の後向片４２ｂに、後方に開口する凹部を設け、この凹部を、ロッドの内側部に前方より嵌合すれば、上記と同様に、操作部材４３を先に側枠杆１９に装着しておいてから、そのロッドに、ランバーサポート本体４１の後向片４２ｂを、前方より容易に嵌合させて連係することができる。なお、この際には、凹部よりも内方のロッドの先端部に、操作部材が外側方に移動して、側枠杆１９から抜け外れるのを防止する抜止め用のワッシャを嵌着するのがよい。
【００７６】
さらに、上記実施形態では、カバー部材３３の上向片３４およびそれが装着される背凭れ支持フレーム１１の起立フレーム１１ｂをガイド部として、操作部材４３およびそれに連係されたランバーサポート本体４１の下部の取付部４２を、上下方向に移動可能に支持して案内するようにしているが、カバー部材３３や背凭れ支持フレーム１１を省略した際には、側枠杆１９における厚肉とされた外側片１９ｂを、ガイド孔を有するガイド部としてもよい。
【符号の説明】
【００７７】
１  キャスタ
２  脚杆
３  脚体
４  脚柱
５  支基
６  座
７  軸
８  背凭れ支持体
９  背凭れ
１０  ランバーサポート
１１  背凭れ支持フレーム
１１ａ横フレーム
１１ｂ起立フレーム(ガイド部)
１２  背凭れ支持杆
１３  嵌合孔
１４  取付孔
１５  ボルト
１６  めねじ孔
１７  背フレーム
１８  張材
１９  側枠杆
１９ａ内側片
１９ｂ外側片
２０  上枠杆
２１  下枠杆
２２  張設部材
２３  張設部材
２４  凹溝
２５  リブ
２６  嵌合凹部
２７  取付孔
２８  ボルト
２９  ナット保持部
３０  四角ナット
３１  取付孔
３２  ボルト
３３  カバー部材
３４  上向片(ガイド部)
３４ａ係止爪
３５  内向片
３５ａ係止爪
３６  係止片
３６ａ係止爪
３７  凹部
３８  下向片
３９  通孔
４０  係止段部
４１  ランバーサポート本体
４２  取付部
４２ａ外向片
４２ｂ後向片
４３  操作部材
４４  把持部
４４ａ内向突片
４５  連係部材
４５ａ係合片
４６  嵌合孔
４７  厚肉部
４８  凹溝
４９  連係孔
５０  係止孔
５１  突起
５２  ガイド孔
５３  内向突条
５４  薄肉部
５５  長孔
５６  突条片
５７  係合凹部
５８  ガイド部材
５８ａ内向片
５８ｂ後向片
５８ｃ底片
５９  切欠部
６０  厚肉部
６１  係合溝
６２  係合突起
６３  凹部
６４  突起
Ｃ  湾曲部
Ｓ  隙間
【図１】
0005917887.tif 000002
【図２】
0005917887.tif 000003
【図３】
0005917887.tif 000004
【図４】
0005917887.tif 000005
【図５】
0005917887.tif 000006
【図６】
0005917887.tif 000007
【図７】
0005917887.tif 000008
【図８】
0005917887.tif 000009
【図９】
0005917887.tif 000010
【図１０】
0005917887.tif 000011
【図１１】
0005917887.tif 000012
【図１２】
0005917887.tif 000013
【図１３】
0005917887.tif 000014
【図１４】
0005917887.tif 000015
【図１５】
0005917887.tif 000016
【図１６】
0005917887.tif 000017
【図１７】
0005917887.tif 000018